【手続補正書】
【提出日】平成18年4月12日(2006.4.12)
【手続補正１】
【補正対象書類名】特許請求の範囲
【補正対象項目名】全文
【補正方法】変更
【補正の内容】
【特許請求の範囲】
【請求項１】
経小腸栄養補給システム（１０）において、
流体が流れる導管（２３）を形成する、投与栄養補給セット（１４）、及び
前記導管（２３）を通る流体の流れを形成するため、前記投与栄養補給セット（１４）と作動的に関連した流れ制御装置（１２）であって、前記流れ制御装置（１２）が、前記流れ制御装置に適切に係合した前記投与栄養補給セットの存在を検知するためのセンサ構成要素を有し、前記センサ構成要素は、前記投与栄養補給セットの存在を検知するとき前記投与栄養補給セットと物理的に接触していない、経小腸栄養補給システム（１０）。
【請求項２】
請求項１に記載の経小腸栄養補給システム（１０）において、前記投与栄養補給セットは金属製構成要素を含み、前記センサ構成要素は、前記投与栄養補給セットが前記流れ制御装置に適切に係合しているとき、前記金属製構成要素の存在を検出する手段を含む、経小腸栄養補給システム（１０）。
【請求項３】
請求項２に記載の経小腸栄養補給システム（１０）において、前記流れ制御装置が更に、前記投与栄養補給セットが前記流れ制御装置に作動的に係合するための第１の凹所と第２の凹所を備える、経小腸栄養補給システム（１０）。
【請求項４】
請求項３に記載の経小腸栄養補給システム（１０）において、前記投与栄養補給セット（１４）は更に、前記第２の凹所（２９）に前記金属製構成要素を取り付けるための取り付け部材（３０）を有する、経小腸栄養補給システム（１０）。
【請求項５】
請求項４に記載の経小腸栄養補給システム（１０）において、前記投与栄養補給セットが更に支持部材を備え、この支持部材が前記第１の凹所内に係合するようになっている、経小腸栄養補給システム（１０）。
【請求項６】
請求項５に記載の経小腸栄養補給システム（１０）において、センサ構成要素（３３）は、センサ（３４）と作動的に関連した磁石（３６）を含む、経小腸栄養補給システム（１０）。
【請求項７】
請求項６に記載の経小腸栄養補給システム（１０）において、前記磁石（３６）と前記構成要素（２１）との間に存在する磁束線は、前記取り付け部材が前記第２の凹所に適正に係合したときに変化し、この変化が前記センサ（３４）によって検出される、経小腸栄養補給システム（１０）。
【請求項８】
請求項２に記載の経小腸栄養補給システム（１０）において、前記センサ構成要素（３３）は、バックバイアスセンサ（３４）及び磁石（３６）を含み、前記センサ（３４）は、前記投与栄養補給セット（１４）が前記流れ制御装置（１２）と適正に係合したとき、前記磁石（３４）と前記金属製構成要素との間の磁束線の変化によって前記金属製構成要素の存在を検出する、経小腸栄養補給システム（１０）。
【請求項９】
請求項２に記載の経小腸栄養補給システム（１０）において、前記センサ構成要素（３３）は、前記投与栄養補給セット（１４）が前記流れ制御装置（１２）と適正に係合したとき、前記金属製構成要素の存在を検出するコイル装置（１５６）を備えた共振回路（１５４）を含む、経小腸栄養補給システム（１０）。
【請求項１０】
請求項９に記載の経小腸栄養補給システム（１０）において、前記共振回路（１５４）及び前記コイル装置（１５６）は、誘導コイル（１５５）と並列なコンデンサー（１５８）を含み、誘導コイル（１５５）と並列なコンデンサー（１５８）は、抵抗（１５７）を介してトランジスタ（１５９）と直列になっている、経小腸栄養補給システム（１０）。
【請求項１１】
請求項２に記載の経小腸栄養補給システム（１０）において、前記センサ構成要素（３３）は並列な第１及び第２の誘導コイル（２１２、２１４）を含み、これらのコイルは、前記投与栄養補給セット（１４）が前記流れ制御装置（１２）と適正に係合したとき、前記金属製構成要素（２１）の存在を検出する、経小腸栄養補給システム（１０）。
【請求項１２】
請求項２に記載の経小腸栄養補給システム（１０）において、前記センサ構成要素（３３）は、第１及び第２の直列の誘導コイル（３１６、３１８）を含み、第３の誘導コイルが増幅器（３２２）と作動的に関連しており、前記増幅器（３２２）の電圧出力は、前記金属製構成要素（２１）が存在した場合に増大し、前記投与栄養補給セット（１４）が前記流れ制御装置（１２）と適正に係合したとき、集合して、前記金属製構成要素の存在を検出する、経小腸栄養補給システム（１０）。
【請求項１３】
請求項１に記載の経小腸栄養補給システム（１０）において、前記センサ装置（３３）はマイクロ制御装置（４０）と作動的に関連しており、このマイクロ制御装置（４０）は、前記投与栄養補給セット（１４）が前記流れ制御装置（１２）と適正に係合したとき、前記流れ制御装置（１２）を作動可能にし、前記投与栄養補給セット（１４）が前記流れ制御装置（１２）と不適正に係合したとき、前記流れ制御装置（１２）が作動不能にする、経小腸栄養補給システム（１０）。
【請求項１４】
請求項１に記載の経小腸栄養補給システム（１０）において、前記投与栄養補給セットは、磁石がない、経小腸栄養補給システム（１０）。
【請求項１５】
請求項２に記載の経小腸栄養補給システム（１０）において、前記金属製構成要素は鉄合金を有する磁気感受性金属製構成要素を有する、経小腸栄養補給システム（１０）。
【請求項１６】
経小腸栄養補給システム（１０）において、
流体が流れる導管（２３）を形成する、磁気感受性金属製構成要素（２１）を含む投与栄養補給セット（１４）及び
前記導管（２３）を通る流体の流れを形成する、前記投与栄養補給セット（１４）と作動的に関連した流れ制御装置（１２）を有し、この流れ制御装置（１２）は、前記磁気感受性金属製構成要素が前記流れ制御装置（１２）と適正に係合したことを検出するためのセンサ装置（３３）を更に含む、経小腸栄養補給システム（１０）。
【請求項１７】
非磁性の磁気感受性金属製構成要素（２１）を含む投与栄養補給セット（１４）及び
前記磁気感受性金属製構成要素の存在を検出するためのセンサ構成要素を含む流れ制御装置であって、前記磁気感受性金属製構成要素が流れ制御装置に適正に係合しているとき、その作動を可能とし、且つ前記磁気感受性金属製構成要素が流れ制御装置に不適正に係合しているとき、その作動を終了する流れ制御手段を含み、前記磁気感受性金属製構成要素は、前記センサ構成要素が磁気感受性金属製構成要素の存在を検出するとき、前記センサ構成要素に物理的に接触しない、安全インターロックシステム。
【請求項１８】
ａ）そこを流体が流れる導管を形成し、磁気感受性金属製構成要素を有する投与栄養補給セットを提供する工程と、
ｂ）前記投与栄養補給セットの前記導管を流れる流体を制御して配送できる制御手段を有し、また凹所およびセンサ構成要素を規定するハウジングを有する流れ制御装置を提供する工程と、
ｃ）前記センサ構成要素が前記磁気感受性金属製構成要素の存在を検出するように、前記磁気感受性金属製構成要素を前記凹所に係合する工程と、
ｄ）前記センサ構成要素が前記磁気感受性金属製構成要素の存在を検出するとき、前記制御手段による前記流れ制御装置の作動を可能にする工程と
を備える、流れ制御装置と投与栄養補給セットとの間の安全インターロックを操作する方法。
【請求項１９】
請求項１８に記載の方法において、前記投与栄養補給セットが前記流れ制御装置に不適切に係合しているとき、前記制御手段が前記流れ制御装置の作動を防止する、方法。
【請求項２０】
前記経小腸栄養補給システム（１０）が更に取り付け部材を備え、
前記取り付け部材が前記流れ制御装置に適正に係合しているときに、前記流れ制御装置が前記導管を介して流体連通を確立するために前記投与栄養補給セットと作動的に関連しており、前記流れ制御装置は更に、前記取り付け部材が前記流れ制御装置に適正に係合したことを検出するセンサ構成要素を備え、前記センサ構成要素は、前記流れ制御装置に適正に係合した前記取り付け部材の存在を集合的に検出するコイル装置を有する共振回路を備える、請求項１に記載の経小腸栄養補給システム。
【請求項２１】
請求項２０に記載の経小腸栄養補給システムにおいて、前記取り付け部材は金属製構成要素を含む、経小腸栄養補給システム。
【請求項２２】
請求項２０または２１に記載の経小腸栄養補給システムにおいて、前記取り付け部材は前記センサ構成要素に物理的に接触していない、経小腸栄養補給システム。
【請求項２３】
請求項２０から２２のいずれか１項に記載の経小腸栄養補給システムにおいて、前記センサ構成要素は、前記取り付け部材が前記流れ制御装置に適正に係合しているときに、前記取り付け部材の存在を集合的に検出する、並列な第１及び第２の誘導コイルを備える、経小腸栄養補給システム。
【請求項２４】
請求項２０から２２のいずれか１項に記載の経小腸栄養補給システムにおいて、前記センサ構成要素は、前記取り付け部材が前記流れ制御装置に適正に係合しているときに、前記取り付け部材の存在を集合的に検出する、第１及び第２の直列の誘導コイルおよび第３の誘導コイルを備える、経小腸栄養補給システム。
【請求項２５】
請求項２０から２４のいずれか１項に記載の経小腸栄養補給システムにおいて、前記センサ構成要素は誘導コイルと並列なコンデンサーを含み、このコンデンサーは、前記取り付け部材が前記流れ制御装置に適正に係合しているときに、前記取り付け部材の存在を集合的に検出する抵抗を介してトランジスタと直列になっている、経小腸栄養補給システム。
【請求項２６】
構成要素を含み、流体が流れる導管を形成する、投与栄養補給セット、及び
前記導管を通る流体の流れを形成するため、前記投与栄養補給セットと作動的に関連した流れ制御装置であって、前記流れ制御装置が、バックバイアスセンサ及び磁石を有するセンサ構成要素を有し、前記センサ構成要素が前記流れ制御装置に適正に受け入れられた前記構成要素の存在を検出するため磁束を発生し、前記構成要素が前記磁束を変え、前記投与栄養補給セットが前記流れ制御装置に適正に係合しているとき、前記磁束の変化を前記センサ構成要素により検出可能である、経小腸栄養補給システム。
【請求項２７】
請求項２６に記載の経小腸栄養補給システムにおいて、前記流れ制御装置は更に前記構成要素を受け入れるための凹所を有する、経小腸栄養補給システム。
【請求項２８】
請求項２７に記載の経小腸栄養補給システムにおいて、前記構成要素が前記凹所内に適正に収まったときだけ、前記センサ構成要素は前記構成要素の存在を検出する、経小腸栄養補給システム。
【請求項２９】
請求項２８に記載の経小腸栄養補給システムにおいて、前記投与栄養補給セットは更に、前記凹所内に前記構成要素を取り付けるための取り付け部材を備える、経小腸栄養補給システム。
【請求項３０】
請求項２６に記載の経小腸栄養補給システムにおいて、前記センサ構成要素はセンサと作動的に関連した磁石である、経小腸栄養補給システム。
【請求項３１】
請求項３０に記載の経小腸栄養補給システムにおいて、前記構成要素が前記凹所内に適正に受け入れられ、前記センサにより検出されているとき、前記磁石と前記構成要素間に存在する磁束線が変化する、経小腸栄養補給システム。
【請求項３２】
請求項２６に記載の経小腸栄養補給システムにおいて、前記センサ構成要素は、第１及び第２の直列の誘導コイルを含み、第３の誘導コイルが増幅器と作動的に関連しており、前記増幅器の電圧出力は、前記構成要素が存在した場合に増大する、経小腸栄養補給システム。
【請求項３３】
請求項２６に記載の経小腸栄養補給システムにおいて、前記構成要素はマイクロ制御装置と作動的に関連しており、前記マイクロ制御装置は、前記投与栄養補給セットが前記流れ制御装置と適正に係合したとき、前記流れ制御装置（１２）を作動可能にし、前記投与栄養補給セットが前記流れ制御装置と不適正に係合したとき、前記流れ制御装置（１２）が作動不能にする、経小腸栄養補給システム。
【請求項３４】
請求項２６に記載の経小腸栄養補給システムにおいて、前記構成要素は合金鉄でできている、経小腸栄養補給システム。
【請求項３５】
前記センサ構成要素（３３）は、バックバイアスセンサ（３４）及び磁石（３６）を含み、前記センサ（３４）は、前記投与栄養補給セット（１４）が前記流れ制御装置（１２）と適正に係合したとき、前記磁石（３４）と前記金属製構成要素との間の磁束線の変化によって前記金属製構成要素の存在を検出する、経小腸栄養補給システム（１０）。
【請求項３６】
請求項３５に記載の経小腸栄養補給システムにおいて、前記構成要素は合金鉄でできている、経小腸栄養補給システム。